(57)【要約】【課題】ものが当たっても比較的その主たる表面に傷がつきにくい、合成樹脂シート材を提供する。【解決手段】この合成樹脂シート材は、端縁を有する合成樹脂シート１０において、シートの一方主面１２ａは、端縁と略平行で直線状の凹条１４が形成され、且つ各凹条１４の間のシートの一方主面１２ａは、模様が形成されるとともに、シートの他方主面１２ｆは、凹条１４の間において、凹条１４の幅より狭く且つ凹条１４の間の幅より狭い凸条２０が形成され、該凸条２０は、ものが当たっても凸条２０の先端に当たってシートの他方主面１２ｆに当たりにくいように、適宜な幅と高さを備え、且つシートの端縁と略平行で凹条１４とも略平行に形成され、シートは、他方主面１２ｆより一方主面１２ａ側の凹条１４および模様が透視し得るように形成されている。【選択図】      図１
2004306430.tif 000002
【特許請求の範囲】
【請求項１】
端縁を有する合成樹脂シートにおいて、
前記シートの一方主面は、端縁と略平行で直線状の凹条が形成され、且つ前記各凹条の間の前記シートの一方主面は、模様が形成されるとともに、
前記シートの他方主面は、前記凹条の間において、前記凹条の幅より狭く且つ凹条の間の幅より狭い凸条が形成され、
前記凸条は、ものが当たっても凸条の先端に当たってシートの他方主面に当たりにくいように、適宜な幅と高さを備え、且つシートの端縁と略平行で前記凹条とも略平行に形成され、
前記シートは、他方主面より一方主面側の前記凹条および模様が透視し得るように形成された、合成樹脂シート材。
【請求項２】
前記端縁を有する合成樹脂シートは、表表紙および裏表紙を備え、
前記表紙の一方主面側には、綴じ具、ポケットなどのファイル具が設けられた、合成樹脂シート材。
【請求項３】
前記凹条は、前記シートの一方の端縁から該一方の端縁と対向する他方の端縁に至るように、連続して形成されるとともに、
前記凸条は、前記シートの一方の端縁から該一方の端縁と対向する他方の端縁に至るように、連続して形成されている、請求項１または請求項２に記載の合成樹脂シート材。
【請求項４】
前記凸条は、前記シートの他方主面より先端に向かうに従ってその幅が漸次狭くなる、請求項１ないし請求項３のいずれかに記載の合成樹脂シート材。
【発明の詳細な説明】
【０００１】
【発明の属する技術分野】
この発明は、合成樹脂シート材に関し、特にたとえば、ファイルの表紙として用いて好適な、合成樹脂シート材に関する。
【０００２】
【従来の技術】
従来の合成樹脂シート材、特に、ファイルの表紙は、意匠登録第１０７２３４７号の類似意匠登録第１号に見られるように、ものが当たると傷つきやすいものであった。
特に、合成樹脂シート材が、透明あるいは半透明のものである場合、その表面に傷がつくと透明または半透明性がなくなるなど不都合が生じる。
【０００３】
【特許文献１】
意匠登録第１０７２３４７号の類似意匠登録第１号公報
【０００４】
【発明が解決しようとする課題】
そこで、カバーを表紙の外周面の全面に装着することが考えられるが、ファイル表紙とは別のものを必要とし、コストもその分上昇する。
したがって、ファイル表紙そのもので、ものが当たってもその表面に傷がつきにくいファイル表紙が求められている。
【０００５】
それゆえに、この発明の主たる目的は、ものが当たっても比較的その主たる表面に傷がつきにくい、合成樹脂シート材を提供することである。
【０００６】
【課題を解決するための手段】
この発明の請求項１に記載の合成樹脂シート材は、端縁を有する合成樹脂シートにおいて、シートの一方主面は、端縁と略平行で直線状の凹条が形成され、且つ各凹条の間のシートの一方主面は、模様が形成されるとともに、シートの他方主面は、凹条の間において、凹条の幅より狭く且つ凹条の間の幅より狭い凸条が形成され、凸条は、ものが当たっても凸条の先端に当たってシートの他方主面に当たりにくいように、適宜な幅と高さを備え、且つシートの端縁と略平行で凹条とも略平行に形成され、シートは、他方主面より一方主面側の凹条および模様が透視し得るように形成された、合成樹脂シート材である。
この発明の請求項２に記載の合成樹脂シート材は、端縁を有する合成樹脂シートは、表表紙および裏表紙を備え、表紙の一方主面側には、綴じ具、ポケットなどのファイル具が設けられた、合成樹脂シート材である。
この発明の請求項３に記載の合成樹脂シート材は、凹条は、シートの一方の端縁から該一方の端縁と対向する他方の端縁に至るように、連続して形成されるとともに、凸条は、シートの一方の端縁から該一方の端縁と対向する他方の端縁に至るように、連続して形成されている、請求項１または請求項２に記載の合成樹脂シート材である。
この発明の請求項４に記載の合成樹脂シート材は、凸条は、シートの他方主面より先端に向かうに従ってその幅が漸次狭くなる、請求項１ないし請求項３のいずれかに記載の合成樹脂シート材である。
【０００７】
〔発明の作用・効果〕
請求項１の発明によれば、端縁を有する合成樹脂シートの他方主面に凸条が形成されているので、合成樹脂シートの他方主面側よりものが当たっても、該凸条の先端にものが当たって合成樹脂シートの他方主面に当たりにくい。
それゆえに、合成樹脂シートの他方主面に傷等がつきにくく、長く初期の表面状態を維持することができる。
請求項２の発明によれば、合成樹脂シートの他方主面は傷がつきにくく、シートの一方主面側に設けられた綴じ具によって、ファイルとして利用すれば、長く初期の表面状態を維持することができる。
請求項３の発明によれば、合成樹脂シートの一方の端縁から該一方の端縁と対向する他方の端縁に至る合成樹脂シートの他方主面にものが当たりにくく、長くシートの他方主面の初期の状態を維持することができる。
請求項４の発明によれば、合成樹脂シートの他方主面に凸条が形成されていることが、外見上わかりにくく、且つ、凸条により合成樹脂シートの他方主面にものが当たることを防ぐことができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態である合成樹脂シートの斜視図解図である。図２は、この発明の一実施の形態である合成樹脂シートの斜視図解図である。
この合成樹脂シート材は、ポリプロピレンなどの合成樹脂により、その外周に直線状端縁を有する方形のシート１０に成形されてなり、ファイルの表紙に用いられるものである。
【００１０】
合成樹脂シート１０は、その一方主面（ファイル表紙の裏面、すなわち内側の面）１２ａに、合成樹脂シート１０の上端縁１２ｂおよび下端縁１２ｃと平行な直線状の凹条１４が形成されている。
凹条１４は、断面コの字形の有底溝が連続して形成されてなる。
凹条１４を構成する右側壁１６ａおよび左側壁１６ｂは、合成樹脂シート１０の一方主面１２ａに対し略９０°をなす角度で交差する平面状で、凹条１４の底面１８は、前記右側壁１６ａおよび左側壁１６ｂに略９０°の角度をもって交差する平面状であり、合成樹脂シート１０の一方主面１２ａと平行に形成されている。
【００１１】
凹条１４は、合成樹脂シート１０の上端縁１２ｂから下端縁１２ｃに亘って複数条一定の間隔をおいて形成されている。そして、各凹条１４は、合成樹脂シート１０の一方の端縁（左端縁）１２ｄから、該一方の端縁１２ｄと対向する合成樹脂シート１０の他方の端縁（右端縁）１２ｅに至るように、連続して形成されている。
そして、前記各凹条１４の間の合成樹脂シート１０の一方主面１２ａには、なし地模様が形成されている。
この実施の形態においては、凹条１４の幅は、略０．６ｍｍで、一つの凹条１４とそれと隣接する凹条１４との間の幅は、略２ｍｍである。
【００１２】
合成樹脂シート１０の他方主面（ファイル表紙の表面、すなわち外側の面）１２ｆは、その全体が鏡面に仕上げてあるが、該他方主面１２ｆには、前記凹条１４の間の位置において、前記凹条１４の幅より狭く且つ凹条１４の間の幅より狭い凸条２０が形成されている。
前記凸条２０は、合成樹脂シート１０の他方主面側からものが当たっても、凸条２０の先端に当たって合成樹脂シート１０の他方主面１２ｆに当たりにくいように、適宜な幅と高さを備えている。
この実施の形態においては、凸条２０の幅は、０．１ｍｍ〜０．２ｍｍで、その高さは、２５μｍ〜３０μｍである。
そして、前記凸条２０は、合成樹脂シート１０の上端縁１２ｂおよび下端縁１２ｃと平行で、前記凹条１４とも平行に形成されている。
【００１３】
前記凸条２０は、合成樹脂シート１０の他方主面１２ｆより先端に向かうに従ってその幅が漸次狭くなる、断面略Ｖ字形または断面略Ｕ字形に形成されている。
そして、凸条２０は、合成樹脂シート１０の一方の端縁（左端縁）１２ｄから該一方の端縁１２ｄと対向する他方の端縁（右端縁）１２ｅに至るように、連続して形成されている。
【００１４】
この合成樹脂シート１０は、図３に示すように、ファイルの表紙３０に用いるために、左側領域が表表紙３２を構成し、右側領域は裏表紙３４を構成し、表表紙３２と裏表紙３４の間の中央領域が、背表紙３６を構成している。背表紙３６の一方主面１２ａにはポケットなどのファイル具３８が溶着されている。
なお、裏表紙３４の一方主面側に、綴じ具を設けてもよい。
このように、綴じ具およびポケットなどのファイル具３８は、適宜ファイルの性質に応じて選択される。
【００１５】
したがって、この合成樹脂シート１０は、ファイルの表紙３０として用いられたときは、表表紙３２と裏表紙３４および背表紙３６のいずれの外表面にも、凸条２０が形成されており、合成樹脂シート１０の他方主面側よりものが当たっても凸条２０の先端にものが当たって、合成樹脂シート１０の他方主面１２ｆすなわちファイルの外表面の主たる面には当たらない。そのために、合成樹脂シート１０の他方主面１２ｆには傷がつきにくく、比較的長く初期の状態（すなわち鏡面）を維持することができる。
【００１６】
次に、この発明の一実施の形態であるファイル表紙用合成樹脂シート材の製造方法の一例について説明する。
このファイル表紙用合成樹脂シート材は、押出機を用いてポリプロピレンなどの材料を、溶融、混練して所定の断面形状のものを連続的に押出し、冷却して連続した合成樹脂シート材を得ることができる押出し成形法により製造される。
この押出し成形法に用いる押出し成形機は、押出機（図示せず）、ダイ４０（図４図示）、冷却・引取り装置（図示せず）等を備える。
【００１７】
ダイ４０は、図４に示すように、上下一対のローラー型ダイ４２，４４が適宜な間隔をおいて押出機に隣接して設けられ、押出機より溶融した材料をダイ４０を構成する一対のローラー型ダイ４２とローラー型ダイ４４の間に押出し、適宜な断面形状の合成樹脂シート材を成形するように構成されている。
【００１８】
上部に設けられたローラー型ダイ４２は、合成樹脂シート１０の凹条１４および凹条１４の間の合成樹脂シートの一方主面に形成されるなし地模様を形成するように構成されている。
凹条１４を成形する突部は、ローラー型ダイ４２の本体４６の周囲に環状に突設された凸条４８が適宜な間隔をおいて複数突設されて形成され、且つ該凸条４８の間にローラー型ダイ本体４６の表面になし地模様５０が刻設されてなる。
下部に設けられたローラー型ダイ４４は、ローラー型ダイ本体５２の表面に前記合成樹脂シート１０の凸条２０に対応する凹条５４が刻設されている。
該凹条５４は、複数条形成され、その位置は、前記上部のローラー型ダイ４２の凸条４８の間で各凸条４８の中央に位置するように設けられている。
すなわち、上部のローラー型ダイ４２と下部のローラー型ダイ４４は、図５に示すように、押出機より溶融されて押出されてくる材料を適宜な断面形状に成形するために適する間隔をおいて設けられ、且つ、上部のローラー型ダイ４２の凸条４８と下部のローラー型ダイ４４の凹条５４とが、適宜な位置となるように配置されている。
【００１９】
このダイ４０の下流には、ダイ４０によって押出され適宜な断面形状に成形された合成樹脂シート材を冷却・引取りする冷却・引取装置が設けられる。
【００２０】
このように製造された合成樹脂シート材は、ファイルの表紙に用いるために、適宜な長さと幅になるように裁断して、合成樹脂シート１０を成形しその左側領域が表表紙３２を構成し、右側領域が裏表紙３４を構成し、表表紙３２と裏表紙３４の間の中央領域が背表紙３６を構成し、背表紙３６には、ポケットを溶着する。
さらには、図３に示すように、表表紙３２の内側面に、ポリプロピレン製シート材を三角形に成形してなるポケット材の端縁と表表紙３２の端縁とを合わせ、溶着したポケット６０を形成してもよい。
【図面の簡単な説明】
【図１】この発明の一実施の形態である合成樹脂シートの斜視図解図である。
【図２】この発明の一実施の形態である合成樹脂シートの斜視図解図である。
【図３】合成樹脂シートをファイルの表紙に用いた場合の斜視図解図である。
【図４】この発明の一実施の形態である合成樹脂シート材の製造に用いるダイを示す図解図である。
【図５】この発明の一実施の形態である合成樹脂シート材の製造方法を示す図解図である。
【符号の説明】
１０  合成樹脂シート
１２ａ  シートの一方主面
１２ｂ  上端縁
１２ｃ  下端縁
１２ｄ  左端縁
１２ｅ  右端縁
１２ｆ  シートの他方主面
１４  凹条
１６ａ  右側壁
１６ｂ  左側壁
１８  底面
２０  凸条
３０  ファイルの表紙
３２  表表紙
３４  裏表紙
３６  背表紙
３８  ファイル具
４０  ダイ
４２  上部のローラー型ダイ
４４  下部のローラー型ダイ
４６  ローラー型ダイ本体
４８  凸条
５０  なし地模様
５２  ローラー型ダイ本体
５４  凹条
６０  ポケット
【図１】
2004306430.tif 000003
【図２】
2004306430.tif 000004
【図３】
2004306430.tif 000005
【図４】
2004306430.tif 000006
【図５】
2004306430.tif 000007